(57)【要約】【課題】青、緑及び赤の色再現性を損なうことなく液晶ディスプレイの輝度を向上させることのできるバックライト用光源、液晶ディスプレイのバックライト及び液晶ディスプレイを提供する。【解決手段】液晶ディスプレイのバックライト用光源３において、青色光を発する第１ＬＥＤ素子４１と、青色光により励起される黄色蛍光体４３と、を有し、第１白色光を発する第１ＬＥＤ装置４と、第１ＬＥＤ素子４１と同じ構成で第１ＬＥＤ素子４１と同じピーク波長の青色光を発する第２ＬＥＤ素子５１と、青色光により励起される緑色蛍光体５３と、青色光により励起される赤色蛍光体５４と、を有し、第１白色光よりも輝度が小さく演色性が高い第２白色光を発する第２ＬＥＤ装置５と、第１ＬＥＤ素子４１及び第２ＬＥＤ素子５１へ電力を供給する電力供給部と、を備えた。【選択図】図２
2010225842.tif 000002
【特許請求の範囲】
【請求項１】
青色光を発する第１ＬＥＤ素子と、前記青色光により励起される黄色蛍光体と、を有し、第１白色光を発する第１ＬＥＤ装置と、
前記第１ＬＥＤ素子と同じ構成で前記第１ＬＥＤ素子と同じ波長域の青色光を発する第２ＬＥＤ素子と、前記青色光により励起される緑色蛍光体と、前記青色光により励起される赤色蛍光体と、を有し、前記第１白色光よりも輝度が小さく演色性が高い第２白色光を発する第２ＬＥＤ装置と、
前記第１ＬＥＤ素子及び前記第２ＬＥＤ素子へ電力を供給する電力供給部と、を備えた液晶ディスプレイのバックライト用光源。
【請求項２】
前記電力供給部は、前記第１ＬＥＤ素子と前記第２ＬＥＤ素子を独立して制御する請求項１に記載の液晶ディスプレイのバックライト用光源。
【請求項３】
前記第１ＬＥＤ装置及び前記第２ＬＥＤ装置の温度に関する情報を取得する温度情報取得部を備え、
前記電力供給部は、前記温度情報取得部により検出された温度に応じて、前記第１ＬＥＤ素子に供給する電力と、前記第２ＬＥＤ素子に供給する電力を制御する請求項２に記載の液晶ディスプレイのバックライト用光源。
【請求項４】
前記電力供給部は、前記第１ＬＥＤ素子と前記第２ＬＥＤ素子に同様に電力を供給する請求項１に記載の液晶ディスプレイのバックライト用光源。
【請求項５】
前記第１ＬＥＤ装置及び前記第２ＬＥＤ装置の温度に関する情報を取得する温度情報取得部を備え、
前記電力供給部は、前記温度情報取得部により検出された温度に応じて、前記第１ＬＥＤ素子及び前記第２ＬＥＤ素子に供給する電力を制御する請求項４に記載の液晶ディスプレイのバックライト用光源。
【請求項６】
請求項１から５のいずれか１項に記載の液晶ディスプレイのバックライト用光源と、
前記第１白色光及び前記第２白色光が入射する導光板と、を備えた液晶ディスプレイのバックライト。
【請求項７】
請求項６に記載の液晶ディスプレイのバックライトと、
前記バックライトの白色光のうち青色光を透過するフィルタと、
前記バックライトの白色光のうち緑色光を透過するフィルタと、
前記バックライトの白色光のうち赤色光を透過するフィルタと、を備える液晶ディスプレイ。
【発明の詳細な説明】
【技術分野】
【０００１】
本発明は、液晶ディスプレイのバックライト用光源、液晶ディスプレイのバックライト及び液晶ディスプレイに関する。
【背景技術】
【０００２】
液晶ディスプレイのバックライト用光源としては、青色光を発する半導体発光素子と、青色光を励起光として緑色光を発する緑色蛍光体と、青色光を励起光として赤色光を発する赤色蛍光体と、を備えた発光装置を用いたものが知られている（例えば、特許文献１参照）。
【先行技術文献】
【特許文献】
【０００３】
【特許文献１】特開特開２００８−３０３３３１号公報
【発明の概要】
【発明が解決しようとする課題】
【０００４】
しかしながら、特許文献１に記載のバックライト用光源では、半導体発光素子から放射される青色光により２つの蛍光体を励起して緑色光及び赤色光に変換しているため、光の損失が大きく、白色光の輝度が低くなるという問題点がある。
【０００５】
本発明は前記事情に鑑みてなされたものであり、その目的とするところは、青、緑及び赤の色再現性を損なうことなく液晶ディスプレイの輝度を向上させることのできるバックライト用光源、液晶ディスプレイのバックライト及び液晶ディスプレイを提供することにある。
【課題を解決するための手段】
【０００６】
本発明によれば、青色光を発する第１ＬＥＤ素子と、前記青色光により励起される黄色蛍光体と、を有し、第１白色光を発する第１ＬＥＤ装置と、前記第１ＬＥＤ素子と同じ構成で前記第１ＬＥＤ素子と同じ波長域の青色光を発する第２ＬＥＤ素子と、前記青色光により励起される緑色蛍光体と、前記青色光により励起される赤色蛍光体と、を有し、前記第１白色光よりも輝度が小さく演色性が高い第２白色光を発する第２ＬＥＤ装置と、前記第１ＬＥＤ素子及び前記第２ＬＥＤ素子へ電力を供給する電力供給部と、を備えた液晶ディスプレイのバックライト用光源が提供される。
【０００７】
この液晶ディスプレイのバックライト用光源によれば、第１ＬＥＤ装置から輝度の高い第１白色光が発せられ、第２ＬＥＤ装置から演色性の高い第２白色光が発せられることから、これらの２つの白色光が供給されるバックライトは、輝度及び演色性が良好な白色で発光する。また、第１ＬＥＤ装置及び第２ＬＥＤ装置で第１ＬＥＤ素子と第２ＬＥＤ素子を共用とすることにより、製造コストを低減できるし、電力供給部による各ＬＥＤ素子の電力制御も簡単容易とすることができる。
【０００８】
上記液晶ディスプレイのバックライト用光源において、前記電力供給部は、前記第１ＬＥＤ素子と前記第２ＬＥＤ素子を独立して制御する構成としてもよい。
【０００９】
この液晶ディスプレイのバックライト用光源によれば、バックライトの白色発光を、第１ＬＥＤ素子の発光量を大きくすることにより輝度重視の発光状態とすることができるし、第２ＬＥＤ素子の発光量を大きくすることにより演色性重視の発光状態とすることができ、バックライトの白色光の輝度、発光スペクトル等の発光状態を調整することができる。
【００１０】
上記液晶ディスプレイのバックライト用光源において、前記第１ＬＥＤ装置及び前記第２ＬＥＤ装置の温度に関する情報を取得する温度情報取得部を備え、前記電力供給部は、前記温度情報取得部により検出された温度に応じて、前記第１ＬＥＤ素子に供給する電力と、前記第２ＬＥＤ素子に供給する電力を制御する構成としてもよい。
【００１１】
この液晶ディスプレイのバックライト用光源によれば、第１ＬＥＤ装置及び第２ＬＥＤ装置の温度に応じて、各ＬＥＤ素子の発光量を調整することにより、温度上昇によるバックライトの白色光の発光状態の変化を抑制することができる。すなわち、第１ＬＥＤ装置の第１ＬＥＤ素子及び黄色蛍光体と、第２ＬＥＤ装置の第２ＬＥＤ素子、緑色蛍光体及び赤色蛍光体は、温度上昇によって発光特性が互いに独立して変化するところ、各ＬＥＤ素子及び各蛍光体の発光特性の変化に応じて各ＬＥＤ素子の発光量を変化させることができる。
【００１２】
上記液晶ディスプレイのバックライト用光源において、前記電力供給部は、前記第１ＬＥＤ素子と前記第２ＬＥＤ素子に同様に電力を供給する構成としてもよい。
【００１３】
この液晶ディスプレイのバックライト用光源によれば、第１ＬＥＤ素子と第２ＬＥＤ素子に同様に電力を供給すればよいので、電力供給部による各ＬＥＤ素子の電力制御がさらに簡単となる。
【００１４】
また、本発明によれば、上記液晶ディスプレイのバックライト用光源と、前記第１白色光及び前記第２白色光が入射する導光板と、を備えた液晶ディスプレイのバックライトが提供される。
【００１５】
さらに、本発明によれば、上記液晶ディスプレイのバックライトと、前記バックライトの白色光のうち青色光を透過するフィルタと、前記バックライトの白色光のうち緑色光を透過するフィルタと、前記バックライトの白色光のうち赤色光を透過するフィルタと、を備える液晶ディスプレイが提供される。
【発明の効果】
【００１６】
本発明によれば、青、緑及び赤の色再現性を損なうことなく液晶ディスプレイの輝度を向上させることができる。
【図面の簡単な説明】
【００１７】
【図１】図１は、本発明の一実施形態を示す液晶ディスプレイのバックライトの模式説明図である。
【図２】図２は、バックライト用光源の模式説明図である。
【図３】図３は、第１白色光のスペクトルデータである。
【図４】図４は、第２白色光のスペクトルデータである。
【図５】図５は、バックライト用光源のブロック図である。
【図６】図６は、第１ＬＥＤ素子と第２ＬＥＤ素子に供給される電力が同じ場合におけるバックライトの発光スペクトルデータである。
【図７】図７は、変形例を示すバックライト用光源のブロック図である。
【発明を実施するための形態】
【００１８】
図１は本発明の一実施形態を示す液晶ディスプレイのバックライトの模式説明図である。
図１に示すように、液晶ディスプレイのバックライト１は、平板状の透明な導光板２と、導光板２を白色で発光させるバックライト用の光源３と、を備えている。そして、液晶ディスプレイは、このバックライト１と、バックライト１の白色光のうち青色光を透過するフィルタと、バックライト１の白色光のうち緑色光を透過するフィルタと、バックライト１の白色光のうち赤色光を透過するフィルタと、を備えている。
【００１９】
光源３は、線状に形成され、複数の第１ＬＥＤ装置４と、複数の第２ＬＥＤ装置５と、各第１ＬＥＤ装置４及び第２ＬＥＤ装置５が搭載される基板６と、を備えている。各第１ＬＥＤ装置４と各第２ＬＥＤ装置５は、基板６上に交互に並べられ、各第１ＬＥＤ装置４及び各第２ＬＥＤ装置５から出射した光が、導光板２の端面に入射するようになっている。
【００２０】
図２はバックライト用光源の模式説明図である。
図２に示すように、第１ＬＥＤ装置４は、凹状に形成された枠体４０と、枠体４０の内部に配置され青色光を発する第１ＬＥＤ素子４１と、枠体４０に充填され第１ＬＥＤ素子４１を封止する封止材４２と、封止材４２中に含有され青色光により励起される黄色蛍光体４３と、を有している。第１ＬＥＤ装置４は、基板６と電気的に接続されており、基板６から電力が供給されると、第１ＬＥＤ素子４１の青色光と、黄色蛍光体４３の黄色光と、の混合による第１白色光を発する。
【００２１】
枠体４０は、例えば樹脂、セラミック等により形成され、表面を白色として反射率を高くすることが望ましい。第１ＬＥＤ素子４１は、例えばＩｎｘＡｌｙＧａ１−ｘ−ｙＮ（０≦ｘ≦１，０≦ｙ≦１，０≦ｘ＋ｙ≦１）の式で表されるＧａＮ系半導体を含んでおり、例えばピーク波長が４５０ｎｍの青色光を発する。封止材４２は、例えば樹脂、ガラス等の透明材料からなる。黄色蛍光体４３は、例えばＹＡＧ(yttrium aluminum garnet)系蛍光体、ＢＯＳ(barium ortho-silicate)系蛍光体等からなり、第１ＬＥＤ素子４１から発せられる青色光により効率良く励起されるようになっている。
【００２２】
図２に示すように、第２ＬＥＤ装置５は、凹状に形成された枠体５０と、枠体５０の内部に配置され青色光を発する第２ＬＥＤ素子５１と、枠体５０に充填され第２ＬＥＤ素子５１を封止する封止材５２と、封止材５２中に含有され青色光により励起される緑色蛍光体５３及び赤色蛍光体５４と、を有している。第２ＬＥＤ装置５は、基板６と電気的に接続されており、基板６から電力が供給されると、第２ＬＥＤ素子５１の青色光と、緑色蛍光体５３及び赤色蛍光体５４の緑色光及び赤色光と、の組合せによる第２白色光を発する。
【００２３】
枠体５０は、例えば樹脂、セラミック等により形成され、表面を白色として反射率を高くすることが望ましい。第２ＬＥＤ素子５１は、第１ＬＥＤ素子４１と同じ構成で同じ波長域の青色光を発する。ここで、同じ波長域とは、ピーク波長が同じ色域であることをいう。例えば、青色で同じ波長域とは４００−４８０ｎｍの波長域を指し、緑色で同じ波長域とは４８５−５６０ｎｍの波長域を指し、赤色で同じ波長域とは５９０−７５０ｎｍを指す。尚、本実施形態においては、第１ＬＥＤ素子４１と第２ＬＥＤ素子５１とは、同じ構成であることから、製造時の誤差等によりばらつくものの、ほぼ同じピーク波長となる。封止材５２は、例えば樹脂、ガラス等の透明材料からなる。緑色蛍光体５３は、例えばＢＯＳ(barium ortho-silicate)系蛍光体、サイアロン（ＳｉＡｌＯＮ）系蛍光体等からなり、第２ＬＥＤ素子５２から発せられる青色光により効率良く励起されるようになっている。赤色蛍光体５４は、例えばＺｎＳ系蛍光体、ＣａＳ系蛍光体等からなり、第２ＬＥＤ素子５２から発せられる青色光により効率良く励起されるようになっている。
【００２４】
図３は、第１白色光のスペクトルデータである。
図３に示すように、第１ＬＥＤ装置４から発せられる第１白色光は、青色領域に第１ＬＥＤ素子４１に起因する比較的鋭いスペクトルピークと、黄色領域に黄色蛍光体４３に起因する比較的緩やかなスペクトルピークと、を有する。
【００２５】
図４は、第２白色光のスペクトルデータである。
図４に示すように、第２ＬＥＤ装置５から発せられる第２白色光は、青色領域に第２ＬＥＤ素子５１に起因する比較的鋭いスペクトルピークと、緑色領域に緑色蛍光体５３に起因する比較的緩やかなスペクトルピークと、赤色領域に赤色蛍光体５４に起因する比較的緩やかなスペクトルピークと、を有する。
【００２６】
第１白色光と第２白色光は、第１ＬＥＤ素子４１及び第２ＬＥＤ素子５１に供給される電力が等しく、各ＬＥＤ素子４１，５１から発せられる光量が等しければ、第１白色光の方が輝度が高くなる。これは、第１ＬＥＤ装置４に含まれる蛍光体が１種類で、第２ＬＥＤ装置５に含まれる蛍光体が２種類であり、第２ＬＥＤ装置５の方が光の損失が大きいことによる。これに対し、各ＬＥＤ素子４１，５１から発せられる光量が等しければ、第２白色光の方が演色性が高くなる。これは、第２ＬＥＤ装置５ではスペクトルピークの数が大きいことによる。
【００２７】
図５は、バックライト用光源のブロック図である。
図５に示すように、光源３は、第１ＬＥＤ装置４及び第２ＬＥＤ装置５の発光状態を制御するための制御部３０を有している。制御部３０は、第１ＬＥＤ素子４１及び第２ＬＥＤ素子５１へ電力を供給する電力供給部７と、第１ＬＥＤ装置４及び第２ＬＥＤ装置５の温度に関する情報を取得する温度検出部８と、バックライトの白色光の発光状態を調整する発光調整部９と、各種データ、プログラム等が記憶されている記憶部１０と、を備えている。
【００２８】
電力供給部７は、第１ＬＥＤ素子４１へ供給される電力を調整する第１電力調整部７１と、第２ＬＥＤ素子５１へ供給される電力を調整する第２電力調整部７２と、を有し、第１ＬＥＤ素子４１と第２ＬＥＤ素子５１へ供給される電力を独立して調整することが可能となっている。本実施形態においては、基板６に形成される回路は、第１ＬＥＤ装置４に接続される第１電気回路６１と、第２ＬＥＤ装置５に接続される第２電気回路６２と、を有しており、第１電気回路６１と第２電気回路６２とは互いに電気的に独立している。本実施形態においては、第１電力調整部７１が第１電気回路６１を介して第１ＬＥＤ素子４１へ電力を供給し、第２電力調整部７２が第２電気回路６２を介して第２ＬＥＤ素子５１へ電力を供給する。
【００２９】
また、本実施形態においては、温度情報取得部８は、第１ＬＥＤ装置４及び第２ＬＥＤ装置５の近傍の雰囲気温度を検知する温度センサ８１を有している。尚、温度情報取得部８は、第１ＬＥＤ装置４及び第２ＬＥＤ装置５の少なくとも一方の温度を直接的に検出する温度センサを有していてもよい。さらに、温度情報取得部８は、例えば、第１ＬＥＤ装置４及び第２ＬＥＤ装置５の駆動時間から温度を算出したり、第１ＬＥＤ装置４及び第２ＬＥＤ装置の少なくとも一方の光量から温度を算出するものであってもよい。
【００３０】
発光調整部９は、温度情報取得部８から温度に関する信号を受信すると、記憶部１０に格納されている第１ＬＥＤ装置４の温度と発光状態に関する第１テーブル１１及び第２ＬＥＤ装置５の温度と発光状態に関する第２テーブル１２に基づき、当該温度において最適な電力値を算出する。第１テーブル１１は、例えば、基準電流値における第１ＬＥＤ装置４の温度と、輝度及び演色性のテーブルであり、第２テーブル１２は、例えば、基準電流値における第２ＬＥＤ装置５の温度と、輝度及び演色性のテーブルである。尚、記憶部１０に格納されるデータは、他のデータ等であってもよく、例えば、第１ＬＥＤ素子４１と第２ＬＥＤ素子５１へ供給される電流の比と、バックライト１全体として得られる白色光の輝度及び演色性のデータであってもよく、第１ＬＥＤ素子４１と第２ＬＥＤ素子５１の通電に関する情報と、バックライト１の白色光に関する情報とが対応づけられたものであればよい。そして、発光調整部９は、算出された電力値に関する信号を第１電力調整部７１及び第２電力調整部７２へ送信し、第１電力調整部７１及び第２電力調整部７２が第１ＬＥＤ素子４１及び第２ＬＥＤ素子５１の光量を調整する。
【００３１】
本実施形態においては、発光調整部９は、輝度入力部９１及び演色性入力部９２に接続されている。輝度入力部９１は、液晶ディスプレイのユーザからの導光板２の輝度設定の入力を操作部９３を介して受け付ける。操作部９３は、例えば、液晶ディスプレイの筐体に設置されたスイッチ、ボタン等であり、ユーザが液晶ディスプレイの明るさを手動で調整するときに用いられる。また、演色性入力部９２は、液晶ディスプレイのユーザからの導光板２の演色性設定の入力を操作部９３を介して受け付ける。演色性入力部９２は、ユーザが液晶ディスプレイの鮮やかさを手動で調整するときに用いられる。尚、輝度入力部９１及び演色性入力部９２は、液晶ディスプレイの制御部が所定のプログラムに基づいて判断した輝度設定及び演色性設定を受け付けるものであってもよい。
【００３２】
発光調整部９は、輝度入力部９１又は演色性入力部９２にて輝度設定又は演色性設定を受け付けると、記憶部１０に格納されている第１テーブル１１及び第２テーブル１２に基づき、設定された輝度又は演色性に対して最適な電力値を算出し、電力供給部７へ信号を送信する。
【００３３】
以上のように構成された液晶ディスプレイのバックライト用光源３によれば、第１ＬＥＤ装置４から輝度の高い第１白色光が発せられ、第２ＬＥＤ装置５から演色性の高い第２白色光が発せられることから、これらの２つの白色光が供給される導光板２は、輝度及び演色性が良好な白色で発光する。これにより、青、緑及び赤の色再現性を損なうことなく液晶ディスプレイの輝度を向上させることができる。
【００３４】
また、人間の目は、プルキニェ現象により、赤色については、明るいとより鮮やかであると感じ、暗いと黒っぽく感じる。すなわち、第１白色光により明るさが向上していることから、青色領域、緑色領域及び赤色領域にピークを有する第２白色光の赤色について、人間に対して知覚を向上させることができる。これにより、人間に対して、感覚的に色再現性が向上している印象を与えることができる。
【００３５】
図６は、第１ＬＥＤ素子と第２ＬＥＤ素子に供給される電力が同じ場合におけるバックライトの発光スペクトルデータである。
図６に示すように、導光板２の内部では、第１白色光と第２白色光が混合されることにより、緑色領域から赤色領域にかけて連続的に比較的高い強度で発光している。
【００３６】
また、第１ＬＥＤ装置４及び第２ＬＥＤ装置５で第１ＬＥＤ素子４１と第２ＬＥＤ素子５１を共用とすることにより、製造コストを低減できる。さらに、第１ＬＥＤ素子４１と第２ＬＥＤ素子５１の通電電流と発光量の特性が同じであることから、第１ＬＥＤ素子４１と第２ＬＥＤ素子５１の電力制御を簡単要因に行うことができる。尚、第１ＬＥＤ素子４１と第２ＬＥＤ素子５１のピーク波長は、多少ばらついてもよいが、液晶ディスプレイのフィルタに青色光を透過させることを考慮すれば、第１ＬＥＤ素子４１と第２ＬＥＤ素子５１のピーク波長の差を１０ｎｍ未満とすることが好ましい。
【００３７】
また、第１ＬＥＤ素子４１と第２ＬＥＤ素子５１を独立して制御するようにしたので、導光板２の白色発光を、第１ＬＥＤ素子４１の発光量を大きくすることにより輝度重視の発光状態とすることができるし、第２ＬＥＤ素子５１の発光量を大きくすることにより演色性重視の発光状態とすることができ、導光板２の白色光の輝度、発光スペクトル等の発光状態を調整することができる。
【００３８】
また、温度情報取得部８を設けたことにより、第１ＬＥＤ装置４及び第２ＬＥＤ装置５の温度に応じて、各ＬＥＤ素子４１，５１の発光量を調整することにより、温度上昇による導光板２の白色光の発光状態の変化を抑制することができる。すなわち、第１ＬＥＤ装置４の第１ＬＥＤ素子４１及び黄色蛍光体４３と、第２ＬＥＤ装置５の第２ＬＥＤ素子５１、緑色蛍光体５３及び赤色蛍光体５４は、温度上昇によって発光特性が互いに独立して変化するところ、各ＬＥＤ素子４１，５１及び各蛍光体４３，５３，５４の発光特性の変化に応じて各ＬＥＤ素子４１，５１の発光量を変化させることができる。
【００３９】
尚、前記実施形態においては、第１ＬＥＤ装置４と第２ＬＥＤ装置５が一列に並べられた光源３を示したが、各ＬＥＤ装置４，５が複数列に並べられたものであってもよい。さらには、基板６を縦及び横へ延びる平板状とし、各ＬＥＤ装置４，５を縦横に配列したものであってもよい。この場合、前記実施形態のように導光板２の端面から光を入射させるのではなく、発光面の真下に配置される直下型のバックライト用光源３として使用される。さらに、各ＬＥＤ装置４，５の形状等は任意に変更することができる。
【００４０】
また、前記実施形態においては、電力供給部７が第１ＬＥＤ素子４１と第２ＬＥＤ素子５１を独立して制御するものを示したが、例えば図７に示すように、電力供給部７が第１ＬＥＤ素子４１と第２ＬＥＤ素子５１に同様に電力を供給する構成としてもよい。この液晶ディスプレイのバックライト用光源によれば、共用電気回路６３を介して第１ＬＥＤ素子４１と第２ＬＥＤ素子５１に同様に電力を供給すればよいので、電力供給部による各ＬＥＤ素子の電力制御がさらに簡単となる。
【００４１】
また、前記実施形態においては、温度情報取得部８を設けたものを示したが、温度情報取得部８を設けない構成としてもよい。さらに、前記実施形態においては、発光調整部９を設けたものを示したが、発光調整部９を設けない構成としてもよいことは勿論である。
【００４２】
以上、本発明の代表的と思われる実施形態について説明したが、本発明は必ずしもこれらの実施例構造のみに限定されるものではなく、具体的な細部構造等について適宜に変更可能であることは勿論である。
【符号の説明】
【００４３】
１    液晶ディスプレイのバックライト
２    導光板
３    バックライト用光源
４    第１ＬＥＤ装置
５    第２ＬＥＤ装置
６    基板
７    電力供給部
８    温度情報取得部
９    発光調整部
１０    記憶部
１１    第１テーブル
１２    第２テーブル
３０    制御部
４１    第１ＬＥＤ素子
４２    封止材
４３    黄色蛍光体
５１    第２ＬＥＤ素子
５２    封止材
５３    緑色蛍光体
５４    赤色蛍光体
６１    第１電気回路
６２    第２電気回路
６３    共用電気回路
７１    第１電力調整部
７２    第２電力調整部
８１    温度センサ
９１    輝度入力部
９２    演色性入力部
９３    操作部
【図１】
2010225842.tif 000003
【図２】
2010225842.tif 000004
【図３】
2010225842.tif 000005
【図４】
2010225842.tif 000006
【図５】
2010225842.tif 000007
【図６】
2010225842.tif 000008
【図７】
2010225842.tif 000009